(57)【要約】【課題】薬液の泡立ちを抑えて薬液容器内の薬液を効率的に吸入することができる薬液吸入用複合針およびこれを用いた薬液容器並びに薬液吸入方法を提供する。【解決手段】本発明の薬液吸入用複合針１０は、バイアル容器１１を受け入れるバイアル容器保持ポート１１ａとシリンジ１２を保持するシリンジ保持ポート１２ａとを有する針基部１３と、バイアル容器保持ポート１１ａからシリンジ保持ポート１２ａまで針基部１３を貫通して配置された吸入用針１４と、針基部１３の側面１３ａからバイアル容器保持ポート１１ａまで針基部１３を貫通しバイアル容器保持ポート１１ａの上方まで吸入用針１４と並行して配置された調整用針１５とを備え、調整用針１５の軸方向１５ａの長さ１５ｂは吸入用針１４の軸方向１４ａの長さ１４ｂの２倍以上、１０倍以下とし、調整用針１５の端部１３ｂから気体１１ｂを吸入して吸入用針１４の端部１４ｃから薬液１７を吸入する。【選択図】図１
2010279409.tif 000002
【特許請求の範囲】
【請求項１】
調整用針と吸入用針とが貫通する針基部を有し、薬液吸入時に、前記調整用針の前記針基部の側面の端部から気体を吸入し、前記吸入用針の一端部から薬液を吸入する薬液吸入用複合針において、
前記針基部は、その上部にバイアル容器の開口部を保持するバイアル容器保持ポートを有し、その下部にシリンジの先端を保持するシリンジ保持ポートを有し、
前記吸入用針は、前記バイアル容器保持ポートから前記シリンジ保持ポートまで前記針基部を貫通して配置され、
前記調整用針は、前記針基部の側面から前記バイアル容器保持ポートまで前記針基部を貫通して配置され、
前記調整用針の軸方向の長さは前記吸入用針の軸方向の長さの２倍以上かつ１０倍以下であること
を特徴とする薬液吸入用複合針。
【請求項２】
前記バイアル容器保持ポートの側に配置された前記吸入用針の端部近傍の外周面に少なくとも１つの穴が設けられたこと
を特徴とする請求項１に記載の薬液吸入用複合針。
【請求項３】
前記調整用針と前記吸入用針とが、それぞれの軸方向に沿って隣接して配置されたこと
を特徴とする請求項１または２に記載の薬液吸入用複合針。
【請求項４】
前記調整用針と前記吸入用針とが、それぞれ貫通した導管として前記針基部と一体化して形成されたこと
を特徴とする請求項１または２に記載の薬液吸入用複合針。
【請求項５】
前記調整用針に気体を吸入する前記針基部の前記側面に疎水性フィルタが配置されたこと
を特徴とする請求項１から４のいずれか１項に記載の薬液吸入用複合針。
【請求項６】
前記吸入用針から薬液が流出する前記保持ポートに親水性フィルタが配置されたこと
を特徴とする請求項１から５のいずれか１項に記載の薬液吸入用複合針。
【請求項７】
前記針基部は、前記針基部からの前記調整用針の突出量を調整する機構を備えていること
を特徴とする請求項１から６のいずれか１項に記載の薬液吸入用複合針。
【請求項８】
請求項１から７のいずれか１項に記載の薬液吸入用複合針と、
前記薬液吸入用複合針の前記バイアル容器保持ポートにその開口部が保持されたバイアル容器と、を備え、
前記バイアル容器の開口部を上部として前記薬液吸入用複合針が下部から前記バイアル容器内に挿入された状態において、前記調整用針の傾斜先端部が前記薬液の液面から突出する状態で配置されたこと
を特徴とする薬液容器。
【請求項９】
前記シリンジ保持ポートは凹部を有し、前記凹部はシール部材で覆われていること
を特徴とする請求項８に記載の薬液容器。
【請求項１０】
請求項１から７のいずれか１項に記載の薬液吸入用複合針のシリンジ保持ポートにシリンジを挿入して保持するステップと、
前記薬液吸入用複合針を内部に薬液が密封されたバイアル容器の上部のゴム栓に挿入して薬液容器を構成するステップと、
前記シリンジを保持した前記薬液容器を１８０度反転させて前記シリンジと前記バイアル容器の上下方向の位置関係を逆転させるステップと、
倒立した前記バイアル容器において前記薬液吸入用複合針の調整用針の傾斜先端部が前記バイアル容器の内部の前記薬液の液面から突出していることを確認する確認ステップと、
前記薬液吸入用複合針の吸入用針により前記シリンジに薬液を吸入すると共に前記調整用針の前記傾斜先端部から前記バイアル容器内へ気体を吸入させるステップと、を備えたこと
を特徴とする薬液吸入方法。
【請求項１１】
前記薬液の前記液面からの前記調整用針の突出量を調整する調整ステップをさらに備えたこと
を特徴とする請求項１０に記載の薬液吸入方法。
【請求項１２】
前記調整ステップにおいて前記調整用針の前記傾斜先端部を前記バイアル容器の底部に押し当てた後に、前記調整用針の前記突出量を調整すること
を特徴とする請求項１１に記載の薬液吸入方法。
【請求項１３】
前記挿入ステップにおいて、前記調整用針の前記傾斜先端部を前記バイアル容器の底部に押し当てた状態で前記薬液吸入用複合針を挿入することにより、前記調整用針の前記液面からの前記突出量を調整すること
を特徴とする請求項１１または１２に記載の薬液吸入方法。
【発明の詳細な説明】
【技術分野】
【０００１】
本発明は、医療などの分野において、注射薬などの薬液をシリンジなどに吸引して混合する時に用いる薬液吸入用複合針およびこれを用いた薬液容器並びに薬液吸入方法に関する。
【背景技術】
【０００２】
病院などで薬液を入院患者などに施用する時に、数種類の薬液を大きさ、形の異なった薬液容器から取り出して混合したものを施用する場合が多い。また、このような薬液を混合する作業については、看護師や薬剤師などの人手に頼ることが多く、薬液容器に注射針などを挿入して薬液を吸入するので、大きい作業負担となっている。特に、密閉されたバイアル容器などの薬液容器から薬液を吸入する時には、容器内の内圧調整を行う必要がある。そのため、薬液容器内の薬液と注射器（以下、シリンジ）内の空気を交互に入れ換える動作（以下、ポンピング動作）を行なう必要があり、さらに大きい作業負担となっている。また、病院などで施用される薬液の中には、抗ガン剤など安全性に十分配慮して取り扱うべき薬液もあり、安全に取り扱えて作業負担が少なくて済む薬液吸入用複合針やこれを用いた薬液容器の開発が望まれている。
【０００３】
図１３は、このような例として、薬液容器であるバイアル容器の口栓から薬液吸入用複合針を用いて放射線薬液のラジオアイソトープを取り出すところを示しており、この薬液吸入用複合針が挿入された薬液容器の断面図を示している。図１３に示すように、放射線薬液のラジオアイソトープの薬液１が入ったバイアル容器２が、倒立状態でガイド筒に配置されており、バイアル容器２は口栓４により密閉されている。この口栓４を貫通して配置された長短２本の注射針５を、薬液吸入用複合針として挿入して下部の弾性チューブ６により薬液を取り出している（例えば、特許文献１参照）。ここでは、長い針５ａの下のチューブ６ａから長い針５ａを介してバイアル容器２の中に空気を導入し、その圧力を利用して短い針５ｂを介して薬液１をチューブ６ｂから取り出している。このような構成とすることにより、バイアル容器２内の内圧調整のためのポンピング動作が不要となる。これにより、内圧調整不良による危険薬液のバイアル容器からの曝露（エアロゾル発生）の危険性が減少し、安全に薬液１を取り出すことができる。
【先行技術文献】
【特許文献】
【０００４】
【特許文献１】特開昭５９−５１４００号公報
【発明の概要】
【発明が解決しようとする課題】
【０００５】
しかしながら、上記で説明した従来の技術においては、図１４に示すように、空気などの気体を導入する長い針５ａの先端が、薬液吸入開始時点で薬液１の液面１ａから離れた薬液１の中に配置されている。その為、短い時間で薬液１を効率的に取り出そうとしてバイアル容器２の中に導入する気体の量を増加させると、薬液１の種類によっては、発泡して液面１ａ近傍に泡立ちが生じる。すなわち、長い針５ａの先端部を含む領域５ｃから泡７が発生し、これらの泡７が集まって薬液１の液面１ａ近傍の領域７ａに泡立ち状態となり存続する。一方、このような泡立ちを避けようとして、取り出す薬液１を少量ずつゆっくり吸入すると、吸入効率が低下して時間がかかるという課題がある。また、時間をかけず泡立ちが発生して存続すると、薬液１を全量吸入することが困難になるという課題がある。
【０００６】
本発明は上記従来の課題を解決するものであり、薬液の泡立ちを抑えて、薬液容器内の薬液を無駄なく効率的に吸入することができる薬液吸入用複合針およびこれを用いた薬液容器並びに薬液吸入方法を提供することを目的とする。
【課題を解決するための手段】
【０００７】
上記目的を達成するために、本発明の薬液吸入用複合針は、調整用針と吸入用針とが貫通する針基部を有し、薬液吸入時に、前記調整用針の前記針基部の側面の端部から気体を吸入し、前記吸入用針の一端部から薬液を吸入する薬液吸入用複合針において、前記針基部は、その上部にバイアル容器の開口部を保持するバイアル容器保持ポートを有し、その下部にシリンジの先端を保持するシリンジ保持ポートを有し、前記吸入用針は、前記バイアル容器保持ポートから前記シリンジ保持ポートまで前記針基部を貫通して配置され、前記調整用針は、前記針基部の側面から前記バイアル容器保持ポートまで前記針基部を貫通して配置され、前記調整用針の軸方向の長さは前記吸入用針の軸方向の長さの２倍以上かつ１０倍以下である構成からなる。
【０００８】
このような構成とすることにより、薬液吸入時に薬液の発泡を防止して、薬液を効率よく吸入することができる。
【０００９】
また、前記バイアル容器保持ポートの側に配置された前記吸入用針の端部近傍の外周面に少なくとも１つの穴が設けられた構成としてもよい。
【００１０】
このような構成とすることにより、薬液吸入時に吸入用針の先端から薬液を吸入するだけでなく外周面の穴からも薬液を吸入できるので、さらに効率よく薬液を吸入することができる。また、薬液を薬液容器の中に残すことなく吸入することができる。
【００１１】
また、上記調整用針と上記吸入用針とがそれぞれの軸方向に沿って隣接して配置された構成としてもよい。
【００１２】
このような構成とすることにより、薬液容器に対する調整用針および吸入用針の位置決めや挿入がさらに簡単にできる。
【００１３】
また、上記調整用針と上記吸入用針とが樹脂材料の中でそれぞれ貫通した導管として上記針基部と一体化して形成された構成としてもよい。
【００１４】
このような構成とすることにより、薬液吸入作業時の針刺し事故が軽減でき、さらに安全な一体化した複合針として使用することができるとともに、廃棄も容易となる。また、複合針の針先にヒール部が存在しないため、バイアル容器の蓋として嵌められているゴム栓の一部がゴム片として削り取られる、いわゆるコアリング現象の発生を抑えることができ、さらに安全な薬液吸入を実現することができる。
【００１５】
また、上記調整用針に気体を吸入させる上記針基部の上記側面に疎水性フィルタが配置された構成としてもよい。
【００１６】
このような構成とすることにより、調整用針を介した薬液の逆流の防止や外部からの汚染物質の流入の防止などを行うことができ、さらに安全に薬液の吸入をすることができる。
【００１７】
また、上記吸入用針から薬液を流出させる上記保持ポートに親水性フィルタが配置された構成としてもよい。
【００１８】
このような構成とすることにより、薬液中の不純物の除去などを行うことができ、さらに安全に薬液の吸入をすることができる。
【００１９】
また、上記疎水性フィルタは上記調整用針に気体を流入させる上記針基部の上記側面に配置され、上記親水性フィルタは上記吸入用針から薬液を流出させる上記保持ポートに配置された構成としてもよい。
【００２０】
このような構成とすることにより、調整用針を介した薬液の逆流の防止や外部からの汚染物質の流入の防止および薬液中の不純物の除去などを行うことができ、さらに安全かつ確実に薬液の吸入をすることができる。
【００２１】
また、上記針基部は上記調整用針の上記針基部からの突出量を調整する機構を備えている構成としてもよい。
【００２２】
このような構成とすることにより、形状や大きさが異なる複数の薬液容器に適用することができ、薬液吸入用複合針は効率的に薬液の吸入をすることができる。
【００２３】
また、本発明の薬液容器は、上記記載の薬液吸入用複合針と、前記薬液吸入用複合針の前記バイアル容器保持ポートにその開口部が保持されたバイアル容器と、を備え、前記バイアル容器の開口部を上部として前記薬液吸入用複合針が下部から前記バイアル容器内に挿入された状態において、前記調整用針の傾斜先端部が前記薬液の液面から突出する状態で配置された構成からなる。
【００２４】
このような構成とすることにより、バイアル容器に針を挿入する作業が必要なく、シリンジのみをはめ込むだけで良いので、さらに安全かつ効率よく薬液の発泡を防止して薬液を吸入することができる。
【００２５】
また、上記保持ポートは凹部を有し、上記凹部はシール部材で覆われた構成としてもよい。
【００２６】
このような構成とすることにより、保持ポートの清潔性と密閉性が確保できて薬液の逆流の防止や外部からの汚染の防止ができるさらに安全な薬液容器を実現することができる。
【００２７】
また、本発明の薬液吸入方法は、上記記載の薬液吸入用複合針のシリンジ保持ポートにシリンジを挿入して保持するステップと、上記薬液吸入用複合針を内部に薬液が密封されたバイアル容器の上部のゴム栓に挿入して薬液容器を構成するステップと、上記シリンジを保持した上記薬液容器を１８０度反転させて上記シリンジと上記バイアル容器の上下方向の位置関係を逆転させるステップと、倒立した上記バイアル容器において上記薬液吸入用複合針の調整用針の傾斜先端部が上記バイアル容器の内部の上記薬液の液面から突出していることを確認する確認ステップと、上記薬液吸入用複合針の吸入用針により上記シリンジに薬液を吸入すると共に上記調整用針の上記傾斜先端部から上記バイアル容器内へ気体を吸入させるステップと、を備えた方法からなる。
【００２８】
このような方法とすることにより、薬液の発泡を防止して薬液を効率よく安全に吸入することができる。
【００２９】
また、上記薬液の上記液面からの上記調整用針の突出量を調整する調整ステップをさらに備えた方法としてもよい。
【００３０】
このような方法とすることにより、形状や大きさが異なる複数の薬液容器に適用することができ、薬液吸入用複合針は効率的かつ安全に薬液の吸入をすることができる。
【００３１】
また、上記調整ステップにおいて上記調整用針の上記傾斜先端部を上記バイアル容器の底部に押し当てた後に上記調整用針の突出量を調整する方法としてもよい。
【００３２】
このような方法とすることにより、調整用針の突出量の調整が容易となり、調整用針の傾斜先端部を確実に液面から突出するように配置することができる。
【００３３】
また、上記挿入ステップにおいて、上記調整用針の上記傾斜先端部を上記バイアル容器の底部に押し当てた状態で上記薬液吸入用複合針を挿入することにより、上記調整用針の上記液面からの突出量を決めている方法としてもよい。
【００３４】
このような方法とすることにより、調整用針の突出量の調整を特に意識することなく、調整用針の傾斜先端部を確実に液面から突出するように配置することができる。
【発明の効果】
【００３５】
本発明の薬液吸入用複合針およびこれを用いた薬液容器並びに薬液吸入方法によれば、薬液の発泡を防止して、薬液を効率よく安全に吸入することができる。
【図面の簡単な説明】
【００３６】
【図１】本発明の実施の形態１にかかる薬液吸入用複合針およびこれを用いた薬液容器の概略構成を示す図で、（ａ）薬液吸入用複合針の断面図、（ｂ）薬液容器の断面図
【図２】（ａ）本発明の実施の形態１にかかる他の薬液吸入用複合針の断面図、（ｂ）本発明の実施の形態１にかかる他の薬液吸入用複合針の断面図
【図３】本発明の実施の形態１にかかるさらに別の薬液吸入用複合針の断面図で、（ａ）調整用針と吸入用針とを軸方向に沿って隣接して配置したものの断面図、（ｂ）調整用針と吸入用針とをそれぞれ貫通した導管として針基部と一体化したものの断面図
【図４】本発明の実施の形態１にかかるさらに別の薬液吸入用複合針の断面図
【図５】従来の注射針によりバイアル容器の中の薬液を吸入するフローチャート
【図６】（ａ）従来の注射針によりバイアル容器の中の薬液を吸入する第１の状態を示す概略図、（ｂ）従来の注射針によりバイアル容器の中の薬液を吸入する第２の状態を示す概略図、（ｃ）従来の注射針によりバイアル容器の中の薬液を吸入する第３の状態を示す概略図、（ｄ）従来の注射針によりバイアル容器の中の薬液を吸入する第４の状態を示す概略図、（ｅ）従来の注射針によりバイアル容器の中の薬液を吸入する第５の状態を示す概略図、（ｆ）従来の注射針によりバイアル容器の中の薬液を吸入する第６の状態を示す概略図、（ｇ）従来の注射針によりバイアル容器の中の薬液を吸入する第７の状態を示す概略図、（ｈ）従来の注射針によりバイアル容器の中の薬液を吸入する第８の状態を示す概略図、（ｉ）従来の注射針によりバイアル容器の中の薬液を吸入する第９の状態を示す概略図、（ｊ）従来の注射針によりバイアル容器の中の薬液を吸入する第１０の状態を示す概略図、（ｋ）従来の注射針によりバイアル容器の中の薬液を吸入する第１１の状態を示す概略図
【図７】本発明の実施の形態１にかかる薬液吸入方法により薬液を吸入するフローチャート
【図８】本発明の実施の形態１にかかる薬液吸入方法により薬液を吸入するフローチャート
【図９】（ａ）本発明の実施の形態１にかかる薬液吸入方法により薬液を吸入する第１の状態を示す断面図、（ｂ）本発明の実施の形態１にかかる薬液吸入方法により薬液を吸入する第２の状態を示す断面図
【図１０】（ａ）本発明の実施の形態１にかかる薬液吸入方法により薬液を吸入する第３の状態を示す断面図、（ｂ）本発明の実施の形態１にかかる薬液吸入方法により薬液を吸入する第４の状態を示す断面図
【図１１】本発明の実施の形態２にかかる薬液吸入用複合針およびこれを用いた薬液容器の概略構成を示す断面図
【図１２】本発明の実施の形態３にかかる薬液容器の概略構成を示す図で、（ａ）通常時の正立状態を示す断面図、（ｂ）薬液を吸入する時の倒立状態を示す断面図
【図１３】従来の薬液吸入用複合針とこれを用いた薬液容器の断面図
【図１４】表面が泡立った薬液が入った従来の薬液容器の断面図
【発明を実施するための形態】
【００３７】
以下、本発明の実施の形態について、図面を参照しながら説明する。なお、同じ構成要素には同じ符号を付しており、説明を省略する場合もある。また、図面は、理解しやすくするために、それぞれの構成要素を主体に模式的に示している。
【００３８】
（実施の形態１）
図１は本発明の実施の形態１にかかる薬液吸入用複合針１０およびこれを用いた薬液容器２０の概略構成を示す図で、（ａ）は薬液吸入用複合針１０の断面図、（ｂ）は薬液容器２０の断面図を示す。
【００３９】
図１（ａ）、（ｂ）に示すように、本実施の形態１の薬液吸入用複合針１０は、針基部１３と、バイアル容器保持ポート１１ａからシリンジ保持ポート１２ａまで針基部１３を貫通して配置された吸入用針１４と、針基部１３の側面１３ａからバイアル容器保持ポート１１ａまで針基部１３を貫通しバイアル容器保持ポート１１ａの上方まで吸入用針１４と並行して配置された調整用針１５とを備えている。針基部１３は、その上部にバイアル容器１１の開口部を保持するバイアル容器保持ポート１１ａを有し、その下部にシリンジ１２の先端を保持するシリンジ保持ポート１２ａを有する。調整用針１５の軸方向１５ａの長さ１５ｂは、吸入用針１４の軸方向１４ａの長さ１４ｂの２倍以上、１０倍以下としている。そして、調整用針１５の針基部１３の側面１３ａの側の端部１５ｃから気体１１ｂを吸入し、吸入用針１４のバイアル保持ポート１１ａの側の端部１４ｃから薬液１７を吸入する。
【００４０】
このように、吸入用針１４により薬液１７を吸入してシリンジ１２に導き、調整用針１５の端部１５ｃから気体１１ｂをバイアル容器１１の内部に吸入して、バイアル容器１１内部の圧力を調整している。また、調整用針１５は、その長さ１５ｂが吸入用針１４の長さ１４ｂよりも長く、薬液１７を吸入するときのバイアル容器１１が倒立している状態において、調整用針１５の傾斜先端部１５ｄは薬液１７の液面１７ａから突出するような構成としている。
【００４１】
このような構成とすることにより、薬液１７が内部に入ったバイアル容器１１の中にバイアル容器１１の外部から気体１１ｂを流入させても、気体１１ｂが直接薬液１７と混ざらない。したがって、調整用針１５から気体１１ｂを薬液１７中に放出されることによる発泡を防止でき、バイアル容器１１の中の薬液１７を効率よく吸入することができる。また、吸入用針１４は傾斜先端部１４ｃがバイアル容器１１の蓋として嵌められているゴム栓１７ｂの近傍にあるので、バイアル容器１１を倒立させて薬液１７を吸入する時に、最終的にバイアル容器１１の底に溜まる薬液１７をほぼ残すことなく、効率よく吸入することができる。
【００４２】
本実施の形態１の薬液容器２０は、内部に薬液１７が入ったバイアル容器１１と、上述の薬液吸入用複合針１０と、薬液１７を吸入するシリンジ１２を保持するシリンジ保持ポート１２ａと、を備えた薬液容器である。このバイアル容器１１を上部として薬液吸入用複合針１０が下部からバイアル容器１１内に挿入された状態において、吸入用針１４から薬液１７をシリンジ１２に吸入すると共に、調整用針１５の傾斜先端部１５ｄを薬液１７の液面１７ａから突出させてバイアル容器１１内に気体１１ｂを吸入させる構成としている。
【００４３】
すなわち、薬液容器２０は、ゴム栓１７ｂで密封された薬液１７の入ったバイアル容器１１に吸入用針１４が挿入され、かつシリンジ１２を保持するシリンジ保持ポート１２ａが形成された構成となっている。
【００４４】
なお、図１（ｂ）に示すように、シリンジ保持ポート１２ａは、薬液吸入用複合針１０の針基部１３と一体化されて形成されている構成としてもよく、個別に形成されたものを用いてもよい。すなわち、このようなシリンジ保持ポート１２ａと針基部１３とを一体化した構成とすることにより、シリンジ１２をシリンジ保持ポート１２ａの凹部に差し込むだけでシリンジ１２を配置したい位置に配置できるので、さらに組み立てが容易な薬液容器２０を実現することができる。
【００４５】
以上のような構成とすることにより、図１（ｂ）に示すようにバイアル容器１１に針を挿入する作業が必要なくなり、薬液容器２０にシリンジ１２のみをはめ込むだけでバイアル容器１１の中の薬液１７を吸入することができる。すなわち、調整用針１５の傾斜先端部１５ｄなどの針の先端部が、予めバイアル容器１１の中に配置され、人の手などに触れないように構成されているので、薬液吸入作業時の針刺し事故が防止でき、さらに安全かつ効率よく薬液吸入作業が行える。また、調整用針１５の傾斜先端部１５ｄは薬液１７の液面１７ａから突出しているので、外部から流入する気体１１ｂが直接薬液１７と混ざることがないため発泡を防止することができ、薬液１７を効率よく吸入することができる。
【００４６】
通常、シリンジ１２は、注射針などが嵌められる受け部１２ｆが薬液容器２０のシリンジ保持ポート１２ａにしっかりと摩擦保持されている。そして、外筒であるバレル１２ｂの内周面に密着して摺動することができるガスケット１２ｃを、プランジャ１２ｄで矢印１２ｅの方向に引くことにより、薬液容器２０から薬液１７をシリンジ１２の内部に吸入することができる。この時、密閉されたバイアル容器１１の内部の薬液１７の量が減るに従い、図１（ｂ）のバイアル容器１１の液体が満たされていない空間１１ｃの気圧が低下することになるので、薬液１７をシリンジ１２内部へ吸入しにくくなる。しかしながら、本実施の形態１の薬液容器２０においては、この空間１１ｃがバイアル容器１１の外部と調整用針１５を介して直接結合しており、バイアル容器１１の内部の気圧変化に従って、外部の気体１１ｂを直接吸入することができるので、バイアル容器１１の内部の気圧を常に大気圧とほぼ等しく一定に保つことができる。これにより、従来、バイアル容器内の内圧調整のために必要であったシリンジのポンピング動作が不要となるので、効率よく薬液１７を吸入することができる。また、内圧調整不良による薬液１７のバイアル容器１１からの曝露（エアロゾル発生）の危険性が減少し、安全に薬液１７をバイアル容器１１から吸い出すことができる。
【００４７】
図２（ａ）、（ｂ）は本発明の実施の形態１にかかる他の薬液吸入用複合針３０、３５の断面図である。図１（ａ）、（ｂ）の薬液吸入用複合針１０とは、吸入用針１４の端部１４ｄまたはその近傍の外周面３１に、例えばスリットやパンチングメッシュなどの穴３２を形成しているところが異なっている。すなわち、吸入用針１４のバイアル容器保持ポート１１ａの側の端部１４ｄ近傍の外周面３１には１つまたは複数の穴３２が開いている構成としている。
【００４８】
このような構成とすることにより、吸入用針１４の先端から薬液１７（図示せず）を吸入するだけでなく、外周面３１の穴３２からも薬液１７を吸入できるので、さらに効率よく薬液１７を吸入することができる。したがって、薬液１７を薬液容器２０（図示せず）の中に残すことなく吸入することができる。
【００４９】
また、調整用針１５および吸入用針１４の傾斜先端部１５ｄ、１４ｆのべベルカット面の方向は、使用する用途などに応じて任意の方向にカットされている。さらに、バイアル容器１１（図１（ｂ）参照）などが外れることなく安定にシリンジ１２（図１（ｂ）参照）と共に支持されるように、容器口金の固定用のリブ３３を針基部１３の一部に形成してもよい。このようにすると、薬液１７をバイアル容器１１から吸入する時に、薬液吸入用複合針３０、３５と共にバイアル容器１１を安定に保持することができるので、看護師や薬剤師が両手でのシリンジ吸入操作に専念することができる。その結果、人の負担が少なくて効率のよい吸入作業を実現することができる。
【００５０】
図３は、本発明の実施の形態１にかかるさらに別の薬液吸入用複合針４０、４５の断面図で、（ａ）は調整用針１５と吸入用針１４とを隣接して配置したものの断面図、（ｂ）は調整用針１５と吸入用針１４とを針基部と一体化したものの断面図である。
【００５１】
図３（ａ）に示すように、薬液吸入用複合針４０は、調整用針１５と吸入用針１４とがそれぞれの軸方向１５ａ、１４ａ（図１（ａ）参照）に沿って隣接して配置されている構成としている。破線で示す領域４１において、長さ１４ｂの短い吸入用針１４は、そのベベルカット面の上部を長さ１５ｂの長い調整用針１５に近い位置に隣接して配置し、これら吸入用針１４と調整用針１５とを一体化している。
【００５２】
このような構成とすることにより、２つの針を一体としてバイアル容器１１に挿入することができるので、薬液１７が入ったバイアル容器１１に対する調整用針１５および吸入用針１４の位置決めや挿入が、さらに簡単にできる。
【００５３】
図３（ｂ）に示す薬液吸入用複合針４５は、調整用針１５と吸入用針１４とが樹脂材料４６の中でそれぞれ貫通した導管１８として針基部１３と一体化して形成されている構成としている。このようにすると、金型を用いて針基部１３、調整用針１５および吸入用針１４とを含んで一体成型することができ、製作・廃棄が容易になると共に、量産効果によりほぼ同一の形状のものが大量に低コストで製作することができる。また、シリンジ１２を受けるシリンジ保持ポート１２ａなども針基部１３と一体に形成することもできる。図３（ｂ）においては樹脂材料４６の中の孔状の空間である導管１８が調整用針１５および吸入用針１４として形成されている。このように２つの針を樹脂材料４６で一体に成型することにより、薬液吸入作業時に金属針で発生していた針刺し事故などを防止することができる。また、図３（ｂ）の薬液吸入用複合針４５の形状では先端部４７にヒール部がないため、通常の注射針でバイアル容器１１のゴム栓１７ｂに穿刺する時に、注射針のヒール部によりゴム栓１７ｂの一部がゴム片として削り取られる、いわゆるコアリング現象が発生することがない。このことにより、薬液１７内にゴム片などの不純物が混入することを防止することができる。また、先端部４７において、調整用針１５の圧力調整口１５ｇを、１つではなく複数個形成することも、樹脂材料４６により一体成型するので容易である。同様に吸入用針１４の吸入口１４ｇも容易に複数個形成することができる。
【００５４】
このような構成とすることにより、さらに安全な一体化した薬液吸入用複合針として使用することができる。また、薬液吸入用複合針４５の先端部４７にヒール部がないため、コアリング現象の発生を抑えてさらに安全に薬液１７を吸入することができる。
【００５５】
図４は本発明の実施の形態１にかかるさらに別の薬液吸入用複合針５０の断面図である。
【００５６】
図４の薬液吸入用複合針５０は、図２（ａ）、（ｂ）の薬液吸入用複合針３０、３５と異なり、調整用針１５に気体１１ｂを吸入させる針基部１３の側面１３ａの近傍に疎水性フィルタ５１が配置されている構成としている。また、吸入用針１４から薬液１７を流出させるシリンジ保持ポート１２ａの近傍に親水性フィルタ５２が配置されている構成としている。
【００５７】
このような構成とすることにより、調整用針１５を介した薬液１７の逆流の防止や外部からの汚染物質の流入の防止および薬液１７中の不純物の除去などを行うことができ、さらに安全かつ確実に薬液１７の吸入をすることができる。
【００５８】
すなわち、図４に示すように、疎水性フィルタ５１は調整用針１５に気体１１ｂを流入させる針基部１３の側面１３ａの近傍に配置され、親水性フィルタ５２は吸入用針１４から薬液１７を流出させるシリンジ保持ポート１２ａの近傍に配置されている構成としている。
【００５９】
薬液吸入用複合針５０は図１（ｂ）に示すような薬液１７の入ったバイアル容器１１に挿入されるので、気体１１ｂをバイアル容器１１に流入させるのに用いる調整用針１５の流入側に疎水性フィルタ５１を配置して、外部から流入させる気体１１ｂと共に運ばれてくる不純物などの汚染物質を、疎水性フィルタ５１によりトラップして、バイアル容器１１内の薬液１７のコンタミネーションを防止している。また、疎水性フィルタ５１は薬液吸入用複合針５０を挿入する時や誤って使用した時に、バイアル容器１１内の薬液１７の外部への逆流も防止している。このことにより、外部に漏れ出ることが望ましくない薬液１７の外部への流出を阻止することができる。
【００６０】
一方、親水性フィルタ５２は、例えばシリンジ１２（図示せず）側の針基部５３上に載置され、吸入用針１４の薬液１７を流出させる側に配置されてシリンジ１２に薬液１７を吸入している。このことにより、薬液１７中の不純物などの除去を親水性フィルタ５２により行うことができ、さらに安全にシリンジ１２に薬液１７を吸入することができる。
【００６１】
このような構成とすることにより、調製用針１５を介した薬液１７の逆流の防止や外部からの汚染物質の流入の防止および薬液１７中の不純物の除去などを行うことができ、さらに安全かつ確実に薬液１７の吸入をすることができる。
【００６２】
なお、シリンジ１２の側の針基部５３の親水性フィルタ５２に隣接する領域に、複数の細孔５３ａを形成することにより、親水性フィルタ５２の全体を用いて薬液１７中の不純物の除去を行うことができる。
【００６３】
図５は、従来の注射針５によりバイアル容器２の中の薬液８を吸入する様子を示すフローチャートであり、図６（ａ）〜（ｋ）は、従来の注射針５によりバイアル容器２の中の薬液８を吸入する様子を示す概略図である。
【００６４】
図５に示すステップＳ１において、まずシリンジ１２内へバイアル容器２内の薬液８と交換することになる空気を、注射針５を介して吸い込む（図６（ａ））。ステップＳ２において、注射針５をバイアル容器２に挿入する（図６（ｂ））。ステップＳ３において、シリンジ１２およびバイアル容器２が注射針５を間にして一体となっている状態で１８０度反転させ、バイアル容器２が倒立状態で上部に、シリンジ１２がその下部に位置するようにする（図６（ｃ））。そして、ステップＳ４において、プランジャ９を押し下げてバイアル容器２内の薬液８をシリンジ１２内に吸入する（図６（ｄ））。所定の量の薬液８を吸入したのちに、ステップＳ５において、シリンジ１２内に予め吸い込んでいた空気をバイアル容器２内に流入させてシリンジ１２とバイアル容器２間の空気交換を行う（図６（ｅ））。
【００６５】
通常、バイアル容器２などの密閉容器から薬液８を吸入する際、一気に中の薬液８を吸入しようとすると密閉容器内部の気圧が低くなりすぎ、プランジャ９を引く大きな力が必要になったり、薬液８を吸い出せなくなってしまうといった不具合が生じる。そこで、所定の量の薬液８を吸入するごとに、上述の空気と薬液８との交換動作を行うことにより、密閉容器内部の気圧を一定に保ち、通常の力の範囲でプランジャ９を引いてバイアル容器２内の薬液８を吸入し終えることができる。したがって、シリンジ１２とバイアル容器２間の空気交換は、図６（ｄ）〜（ｇ）に示すように繰り返し行ってもよく、必要な回数だけ行う。
【００６６】
バイアル容器２内の薬液８が少なくなり、挿入した注射針５が薬液８の液面から出る状態になるステップＳ６において、針位置の修正を判断する。針位置の修正が必要な場合は、ステップＳ７において、注射針５の先端の位置を下方に下げて注射針５が薬液８の中に位置するように修正する（図６（ｈ））。ステップＳ４およびＳ５に戻り、再び空気交換や薬液８の吸入を行う（図６（ｉ）、（ｊ））。なお、この針位置の修正は、薬液８を吸入する時に薬液８の発泡を抑えるという観点からも必要な動作である。
【００６７】
ステップＳ６において針位置の修正が不要な場合には、ステップＳ８に移行する。ステップＳ８において、薬液８の吸入が終了したかどうかを判断し、終了していない場合にはステップＳ４に戻る。終了している場合には、ステップＳ９において、例えばバイアル容器２内の空気をシリンジ１２に少し吸入することによりバイアル容器２内の気体の圧力を負圧に調整した後、ステップＳ１０によりバイアル容器２から注射針５を抜き取っている（図６（ｋ））。ここで、バイアル容器２内を負圧にするのは、注射針５をバイアル容器２から抜き取るときにバイアル容器２内から薬液８が外部に漏れでないようにして安全性を確保するためである。
【００６８】
このように従来の注射針５によりバイアル容器２などの密閉された容器の中の薬液８を吸入する一連の動作は、ステップが多く複雑で薬剤師や看護師などに大きな負担をかけ、また注射針５やシリンジ１２などの扱いについても熟練が必要な作業が多い。
【００６９】
図７、図８は、本発明の実施の形態１にかかる薬液吸入方法において薬液吸入用複合針１０および薬液容器２０により薬液１７を吸入するフローチャートであり、図９（ａ）、（ｂ）および図１０（ａ）、（ｂ）は本発明の実施の形態１にかかる薬液吸入方法において薬液吸入用複合針１０および薬液容器２０により薬液１７を吸入する状態を示す図である。具体的には、図７、図８は、本実施の形態１の薬液吸入方法の全体のフローチャートを示すものである。図９（ａ）、（ｂ）は本実施の形態１の薬液吸入方法の具体的な内容の流れを断面図により示す前半の状態を示す図であり、図１０（ａ）、（ｂ）は本実施の形態１の薬液吸入方法の具体的な内容の流れを断面図により示す後半の状態を示す図である。
【００７０】
図７に示すように、本発明の実施の形態１の薬液吸入用複合針１０および薬液容器２０を使用すると、従来の注射針５を使用した場合に必要であった１０の薬液吸入に関するステップ数を、約半分の６のステップ数で実現することができる。以下、そのフローチャートについて具体的に説明する。
【００７１】
図７のステップＳ１１（図５のステップＳ２に相当）において、バイアル容器１１などの密閉された容器にシリンジ１２に係合された薬液吸入用複合針１０を挿入し（図９（ａ））、薬液吸入用複合針１０の針基部１３の凹部に嵌めて固定する（図９（ｂ））。そしてステップＳ１２（図５のステップＳ３に相当）において、シリンジ１２とバイアル容器１１をともに１８０度反転させ、バイアル容器１１が倒立状態で上部にシリンジ１２がその下部に位置するようにする（図１０（ａ））。そして、図１０に示す倒立したバイアル容器１１において、調整用針１５の傾斜先端部１５ｄがバイアル容器１１の内部の薬液１７の液面１７ａから突出していることを確認する。この確認ステップであるステップＳ１３は、新たに付加しているステップである。そしてステップＳ１４（図５のステップＳ４に相当）において、プランジャ１２ｄを押し下げて薬液１７を吸入する（図１０（ａ））。薬液１７を吸入する時には、バイアル容器１１上部の気体の圧力が下がることになるが、この上部の気体は調整用針１５を介してバイアル容器１１の外部の空気とつながっている状態にあるので、すぐに外部から空気が調整用針１５を介してバイアル容器１１の上部に流入する。したがって、図６で示した従来の例のように空気交換を行う必要がない。このようにして、薬液１７の吸入が終了するまでステップＳ１４により薬液１７を吸入し、ステップＳ１５（ステップＳ８に相当）において、薬液１７の吸入が終了したと判断されると、ステップ１６において、バイアル容器１１から薬液吸入用複合針１０を抜き取る（図１０（ｂ））。このようにして薬液１７を吸入する動作が終了する。
【００７２】
このように、本発明の実施の形態１にかかる薬液吸入方法は、上述の薬液吸入用複合針１０のシリンジ保持ポート１２ａにシリンジ１２を挿入して保持するステップと、薬液吸入用複合針１０を内部に薬液１７が密封されたバイアル容器１１の上部のゴム栓１７ａに挿入して薬液容器２０を構成するステップと、シリンジ１２を保持した薬液容器２０を１８０度反転させてシリンジ１２とバイアル容器１１の上下方向の位置関係を逆転させるステップと、を備えている。さらに、本実施の形態１の薬液吸入方法は、倒立したバイアル容器１１において薬液吸入用複合針１０の調整用針１５の傾斜先端部１５ｄがバイアル容器１１の内部の薬液１７の液面１７ａから突出していることを確認する確認ステップと、薬液吸入用複合針１０の吸入用針１４によりシリンジ１２に薬液１７を吸入するとともに調整用針１５の傾斜先端部１５ｄからバイアル容器１１内へ気体１１ｂを吸入させるステップと、を備えている。
【００７３】
このような方法とすることにより、薬液１７の発泡を防止して、薬液１７を効率よく安全に吸入することができる。
【００７４】
なお、確認ステップＳ１３において調整用針１５の傾斜先端部１５ｄが液面から突出しない状態が生じることを想定して、図８のフローチャートに示すように調整用針１５の傾斜先端部１５ｄの薬液１７の液面１７ａからの突出量を調整する調整ステップＳ１３Ａをさらに備えた方法としてもよい。すなわち、傾斜先端部１５ｄの液面１７ａからの突出量が所定の範囲にない時には、ステップＳ１３において調整用針１５を軸方向１５ａに移動させて調整した後に、ステップＳ１４によりシリンジ１２に薬液１７を吸入することができる。なお、調整用針１５の薬液１７の液面１７ａからの突出量の調整方法については、後述する。
【００７５】
このような方法とすることにより、形状や大きさが異なる複数のバイアル容器１１に薬液吸入用複合針１０を適用することができ、効率的かつ安全に薬液１７の吸入をすることができる。
【００７６】
このように本実施の形態１の薬液吸入用複合針１０および薬液容器２０を使用することにより、従来のステップ数の約半分のステップ数で薬液１７の吸入を効率的に行うことができる。また、予め薬液吸入用複合針１０の調整用針１５と吸入用針１４との長さや位置関係を設定または調整することにより、薬液１７の吸引時の薬液１７の発泡を抑えることができるので、従来の注射針５のようにシリンジを介した針の位置変更を行うことは不要である。また、薬液１７が入ったバイアル容器などの密閉された容器において、容器内部の圧力調整のために行うシリンジ１２内の空気とバイアル容器１１内の薬液１７との交換動作が不要となり、常に大気圧と等しい状態で薬液１７を吸入することができる。したがって、薬液１７の吸入作業において薬剤師や看護師の肉体的・精神的負担が大きいポンピング作業を行う必要がなく、簡単かつ楽な薬液１７の吸入作業を行うことができる。
【００７７】
（実施の形態２）
図１１は、本発明の実施の形態２にかかる薬液吸入用複合針６０およびこれを用いた薬液容器７０の概略構成を示す断面図である。
【００７８】
図１１の薬液吸入用複合針６０は、図１に示す実施の形態１の薬液吸入用複合針１０の場合と同様に、針基部６２と、バイアル容器保持ポート１１ａからシリンジ保持ポート１２ａまで針基部６２を貫通して配置された吸入用針１４と、針基部６２の側面６２ａからバイアル容器保持ポート１１ａまで針基部６２を貫通し、バイアル容器保持ポート１１ａの上方まで吸入用針１４と並行して配置された調整用針６１とを備えている。針基部６２は、その上部にバイアル容器１１を受け入れるバイアル容器保持ポート１１ａを有し、その下部にシリンジ１２を保持するシリンジ保持ポート１２ａを有する。調整用針６１の軸方向６３の長さ６１ｂは、吸入用針１４の軸方向１４ａの長さ１４ｂの２倍以上、１０倍以下としている。そして、調整用針６１の針基部６２の側面６２ａの側の端部６１ｃから気体１１ｂを吸入して、吸入用針１４のバイアル容器保持ポート１１ａの側の端部１４ｃから薬液１７を吸入する。
【００７９】
しかしながら、本実施の形態２の薬液吸入用複合針６０は、調整用針６１の針基部６２からの突出量が調整でき、薬液１７の液面１７ａからの調整用針６１の傾斜先端部６１ａの突出量６１ｄが調整できるところが、実施の形態１の薬液吸入用複合針１０とは異なる。すなわち、図１１に示すように、針基部６２は、調整用針６１の針基部６２からの突出量を調整する機構を備え、結果として調整用針６１の傾斜先端部６１ａの液面１７ａからの突出量６１ｄを調整することができる。この針基部６２では、薬液吸入用複合針６０が挿入されるバイアル容器１１の大きさに応じて、調整用針６１の傾斜先端部６１ａの位置を軸方向６３の上下方向に調整することができる。したがって、どのような大きさのバイアル容器１１に薬液吸入用複合針６０が挿入されても、調整用針６１の針基部６２からの突出量を調整することにより、傾斜先端部６１ａを薬液１７の液面１７ａから突出するように調整することができる。この調整機構６４は、針基部６２の一部に構成されており、図１１に示すように、調整用針６１の下部の折れ曲がり部分６１ｆと針基部６２の底部６２ｂとの間に、例えば圧縮ばねなどの弾性体６５を配置する。そしてバイアル容器１１のゴム栓１７ｂと隣接する針基部６２の領域に調整用針６１を囲むようにオイルシール６６を配置する。そして、このように決定された調整用針６１の位置を、弾性体６５の押し圧方向の弾性力とオイルシール６６及びゴム栓１７ｂと調整用針６１との接触摩擦力で均衡させて保持している。なお、調整用針６１の針基部６２からの突出量調整は、これに限らず、例えば手動で調整用針６１を上下に移動することにより決定してもよい。
【００８０】
また、前述の実施の形態１で示した薬液吸入方法のフローチャート（図８参照）の中の調整ステップＳ１３Ａにおいて、本実施の形態２では、図１１に示すように、調整用針６１の傾斜先端部６１ａをバイアル容器１１の底部１１ｄに押し当てた後に、傾斜先端部６１ａの液面１７ａからの突出量６１ｄを調整する方法としてもよい。
【００８１】
このような方法とすることにより、調整用針６１の傾斜先端部６１ａの液面１７ａからの突出量調整が容易となり、液面１７ａから傾斜先端部６１ａが確実に突出するように配置することができる。
【００８２】
また、挿入ステップＳ１１において、調整用針６１の傾斜先端部６１ａを、図１１における破線で形状を示すバイアル容器１１の底部１１ｄに押し当てた状態で薬液吸入用複合針６０を挿入することにより、調整用針６１の液面１７ａからの突出量６１ｄを決める方法としてもよい。
【００８３】
このような方法とすることにより、調整用針６１の傾斜先端部６１ａの液面１７ａからの突出量調整を特に意識する事なく、、確実に液面１７ａから突出するように配置することができる。また、液面１７ａからの突出量６１ｄも十分に確保することができる。
【００８４】
以上のような構成とすることにより、薬液１７が内部に密封されたバイアル容器１１の中にバイアル容器１１の外部から気体１１ｂを流入させても、気体１１ｂが直接薬液１７と混ざらないので発泡を防止することができ、バイアル容器１１の中の薬液１７を効率よく吸入することができる。また、吸入用針１４は傾斜先端部１４ｃがバイアル容器１１の蓋として嵌められているゴム栓１７ｂの近傍にあるので、バイアル容器１１を倒立させて薬液１７を吸入する時に、最終的にバイアル容器１１のゴム栓１７ｂの近傍に溜まる薬液１７をほぼ残すことなく、効率よく吸入することができる。しかも、調整用針６１の針基部６２からの突出量、すなわち傾斜先端部６１ａの薬液１７の液面１７ａからの突出量を調整できる調整機構６４を備えているので、形状や大きさが異なる複数のバイアル容器１１などの薬液容器に適用して、効率的に薬液１７の吸入をすることができる。
【００８５】
また、薬液吸入用複合針６０とバイアル容器１１とシリンジ１２を保持するシリンジ保持ポート１２ａとを備えた薬液容器７０においても、バイアル容器１１を上部として、薬液吸入用複合針６０が下部から薬液容器７０内に挿入された状態で、吸入用針１４から薬液１７をシリンジ１２に吸引すると共に、調整用針６１の傾斜先端部６１ａを薬液１７の液面１７ａから突出させてバイアル容器内に気体を吸入する構成としている。
【００８６】
このような構成とすることにより、シリンジ１２をシリンジ保持ポート１２ａの凹部に差し込むだけでシリンジ１２を配置したい位置に配置できるので、さらに組み立てが容易な薬液容器７０を実現することができる。また、バイアル容器に針を挿入する作業が必要ないので、さらに安全かつ効率よく薬液の発泡を防止して薬液を吸入することができる。
【００８７】
（実施の形態３）
図１２は本発明の実施の形態３にかかる薬液容器８０の概略構成を示す図で、（ａ）は通常時の正立状態を示す断面図、（ｂ）は薬液１７を吸入する時の倒立状態を示す断面図である。
【００８８】
図１２（ａ）、（ｂ）に示すように薬液容器８０は、内部に薬液１７が入ったバイアル容器１１と、上述の薬液吸入用複合針５０と、薬液１７を吸入するシリンジ（図示せず）を保持するシリンジ保持ポート８１と、を備えた薬液容器である。図１２（ｂ）に示すように、このバイアル容器１１を上部として薬液吸入用複合針５０が下部からバイアル容器１１内に挿入された状態で、吸入用針１４から薬液１７をシリンジ１２（図示せず）に吸入すると共に、調整用針１５の傾斜先端部１５ｄを薬液１７の液面１７から突出させてバイアル容器内に気体を吸入する構成としている。この構成に加えて薬液容器８０のシリンジ保持ポート８１は凹部８２を有し、凹部８２はシール部材８３で覆われている構成としている。
【００８９】
このような構成とすることにより、シリンジ１２をシリンジ保持ポート８１の凹部８２に差し込むだけでシリンジ１２を配置したい位置に配置できるので、さらに組み立てが容易な薬液容器８０を実現することができる。また、バイアル容器に針を挿入する作業が必要ないので、さらに安全かつ効率よく薬液の発泡を防止して薬液を吸入することができる。また、シリンジ１２が差し込まれるまではシール部材８３により凹部８２が清浄な状態に保持されるので、さらに安全な薬液容器を実現することができる。なお、薬液吸入用複合針５０とバイアル容器１１とが一体に保持されるため、図１２（ａ）に示す針基部１３の一部に抜け止め爪８５を形成してもよい。
【００９０】
また、図１２（ａ）、（ｂ）に示すように、薬液吸入用複合針５０に疎水性フィルタ５１と親水性フィルタ５２とを配置することにより、薬液１７の逆流や外部からの汚染物質の流入の防止および薬液１７中の不純物の除去などを行うことができ、さらに安全かつ確実に薬液１７の吸入をすることができる。なお、シリンジ１２側の針基部８４の親水性フィルタ５２に隣接する領域に複数の細孔８４ａを形成することにより親水性フィルタ５２の全体を用いて薬液１７中の不純物の除去を行うことができる。
【産業上の利用可能性】
【００９１】
本発明の薬液吸入針およびこれを用いた薬液容器並びに薬液吸入方法によれば、薬液の発泡を防止して薬液を効率よく吸入することができ、この薬液吸入針や薬液容器を用いれば薬剤師や看護師などが面倒で気を使う吸入作業を簡素化・効率化でき、病院などにおいて看護師や薬剤師などの肉体的・精神的負担を大幅に軽減でき有用である。
【符号の説明】
【００９２】
１０，３０，３５，４０，４５，５０，６０  薬液吸入用複合針
１１    バイアル容器
１１ａ  バイアル容器保持ポート
１１ｂ  気体
１１ｃ  空間
１１ｄ，６２ｂ  底部
１２    シリンジ
１２ａ，８１  シリンジ保持ポート
１２ｂ  バレル
１２ｃ  ガスケット
１２ｄ  プランジャ
１２ｅ  矢印
１２ｆ  受け部
１３，５３，６２，８４  針基部
１３ａ，６２ａ  側面
１４    吸入用針
１４ａ，１５ａ，６３  軸方向
１４ｂ，１５ｂ，６１ｂ  長さ
１４ｄ，１５ｃ，６１ｃ  端部
１４ｃ，１４ｆ，１５ｄ，６１ａ  傾斜先端部
１５ｇ  圧力調整口
１５，６１  調整用針
１７    薬液
１７ａ  液面
１７ｂ  ゴム栓
１８    導管
２０，７０，８０  薬液容器
３１    外周面
３２    穴
３３    リブ
４１    領域
４６    樹脂材料
４７    先端部
５１    疎水性フィルタ
５２    親水性フィルタ
５３ａ，８４ａ  細孔
６１ｆ  折れ曲がり部分
６４    調整機構
６５    弾性体
６６    オイルシール
８２    凹部
８３    シール部材
８５    抜け止め爪
【図２】
2010279409.tif 000003
【図３】
2010279409.tif 000004
【図４】
2010279409.tif 000005
【図５】
2010279409.tif 000006
【図６】
2010279409.tif 000007
【図７】
2010279409.tif 000008
【図８】
2010279409.tif 000009
【図９】
2010279409.tif 000010
【図１０】
2010279409.tif 000011
【図１１】
2010279409.tif 000012
【図１２】
2010279409.tif 000013
【図１３】
2010279409.tif 000014
【図１４】
2010279409.tif 000015
【図１】
2010279409.tif 000016